(57)【要約】【課題】本発明は、幹線から分岐する枝線が所望の方向となるように調節することができるプロテクタ及びプロテクタ付ワイヤーハーネスを提供すること。【解決手段】複数の電線を束ねた幹線１１０と、幹線１１０から分岐された枝線１２０とで構成されたワイヤーハーネス１００を保護するプロテクタ１０は、幹線１１０を保護する内側保持部２０及び幹線保護部本体３１と、枝線１２０を保護するとともに、幹線保護部本体３１の長手方向Ｘと交差する幅方向Ｙへ向けて突出する枝線保護部３２とで構成され、枝線保護部３２を所定の配設方向に調整する嵌合凹部２３及び嵌合凸部３３が備えられた。【選択図】図１
2019030066.tif 000002
【特許請求の範囲】
【請求項１】
複数の電線を束ねた幹線と、該幹線から分岐された枝線とで構成されたワイヤーハーネスを保護するプロテクタであって、
前記幹線を保護する幹線保護部と、
前記枝線を保護するとともに、前記幹線保護部の長手方向と交差する交差方向へ向けて突出する枝線保護部とで構成され、
前記枝線保護部を所定の配設方向に調整する方向調整部が備えられた
プロテクタ。
【請求項２】
前記幹線保護部は、
前記幹線を保持する内側保持部と、
該内側保持部の外周面を保持する外側保持部とで構成され、
前記外側保持部と前記内側保持部とが周方向に移動可能、かつ、所望の方向に係止可能な係止部が備えられ、
前記枝線保護部は、前記外側保持部と一体に構成され、
前記方向調整部は、前記係止部で構成された
請求項１に記載のプロテクタ。
【請求項３】
前記内側保持部が、
前記枝線の分岐部分から前記長手方向両側に沿って配置された
請求項２に記載のプロテクタ。
【請求項４】
前記係止部は、
前記外側保持部の内周面又は前記内側保持部の外周面の一方において、該一方から他方に向けて突出する凸部と、
前記外側保持部の内周面又は前記内側保持部の外周面の他方において、前記凸部と係止可能に窪んだ凹部とで構成された
請求項２又は請求項３に記載のプロテクタ。
【請求項５】
前記内側保持部に対する前記外側保持部の前記長手方向への移動を調整する移動調整部が備えられた
請求項２乃至請求項４のうちのいずれかに記載のプロテクタ。
【請求項６】
前記内側保持部における前記長手方向の長さが、対応する前記外側保持部の長さよりも長く構成された
請求項２乃至請求項５のうちのいずれかに記載のプロテクタ。
【請求項７】
前記外側保持部は、断面周状に構成されるとともに、開閉可能な開閉部が備えられた
請求項２乃至請求項６のうちのいずれかに記載のプロテクタ。
【請求項８】
前記枝線保護部は、
先端側から基端側に向けて拡径となる拡径形状で構成された
請求項１乃至請求項７のうちのいずれかに記載のプロテクタ。
【請求項９】
前記枝線保護部の先端部位が可撓性を有する
請求項１乃至請求項８のうちのいずれかに記載のプロテクタ。
【請求項１０】
前記幹線保護部を前記幹線に固定する固定部が備えられた
請求項１乃至請求項９のうちのいずれかに記載のプロテクタ。
【請求項１１】
請求項１乃至請求項１０のうちのいずれかに記載のプロテクタと、
複数の電線を束ねた幹線と、該幹線から分岐された枝線とで構成されたワイヤーハーネスとで構成された
プロテクタ付ワイヤーハーネス。
【発明の詳細な説明】
【技術分野】
【０００１】
この発明は、例えば、複数の電線を束ねた幹線と、該幹線から分岐された枝線とで構成されたワイヤーハーネスを保護するプロテクタに関する。
【背景技術】
【０００２】
例えば、車両に搭載されている複数の電子機器類同士やバッテリなどを接続しているワイヤーハーネスは、複数本の電線を束ねた幹線と、所定の方向に分岐された枝線とで構成されており、車両内において立体的に配索されている。
【０００３】
このような立体的に配索されるワイヤーハーネスを保護する様々なプロテクタが提案されている。例えば、特許文献１に記載のプロテクタは、断面矩形状に形成されたプロテクタ本体部の上面に切欠き部が設けられており、前記枝線を前記切り欠き部から引き出すとともに保持させることにより、前記幹線に対して前記枝線を垂直方向に起立保持させることができ、ワイヤーハーネスを立体的に配索できるとされている。
【０００４】
しかしながら、近年の電子機器類の増加により、前記ワイヤーハーネスは前記枝線が前記幹線に対して様々な方向に分岐された複雑な形状で配索されており、上述のプロテクタではこのような複雑に分岐する枝線で構成されたワイヤーハーネスの配索に対応できなかった。
【先行技術文献】
【特許文献】
【０００５】
【特許文献１】特開平１１−２９９０４６号公報
【発明の概要】
【発明が解決しようとする課題】
【０００６】
本発明は、上述の問題に鑑み、幹線から分岐する枝線が所望の方向となるように調節することができるプロテクタ及びプロテクタ付ワイヤーハーネスを提供することを目的とする。
【課題を解決するための手段】
【０００７】
この発明は、複数の電線を束ねた幹線と、該幹線から分岐された枝線とで構成されたワイヤーハーネスを保護するプロテクタであって、前記幹線を保護する幹線保護部と、前記枝線を保護するとともに、前記幹線保護部の長手方向と交差する交差方向へ向けて突出する枝線保護部とで構成され、前記枝線保護部を所定の配設方向に調整する方向調整部が備えられたことを特徴とする。
【０００８】
またこの発明は、上述のプロテクタと、複数の電線を束ねた幹線と、該幹線から分岐された枝線とで構成されたワイヤーハーネスとで構成されたプロテクタ付ワイヤーハーネスであることを特徴とする。
【０００９】
上述の前記枝線保護部を所定の配設方向に調整する方向調整部とは、例えば、前記幹線保護部に対して突出する前記枝線保護部の配設方向を、前記幹線の中心軸を回転軸として前記枝線保護部を回転させる構成や、前記長手方向に沿って前記枝線保護部を移動させる構成、前記プロテクタを車両などに固定するためのアンカー等の取付け位置を変更できる構成などを含む。
【００１０】
この発明によると、前記幹線を保護する前記幹線保護部から前記交差方向に突出する前記枝線保護部を所望の配設方向に調整できるため、前記枝線保護部で保護する前記枝線の配設方向を所望の方向に調整できる。したがって、複雑に分岐する枝線で構成されたワイヤーハーネスの配索に対応して保護することができる。
【００１１】
この発明の態様として、前記幹線保護部は、前記幹線を保持する内側保持部と、
該内側保持部の外周面を保持する外側保持部とで構成され、前記外側保持部と前記内側保持部とが周方向に移動可能、かつ、所望の方向に係止可能な係止部が備えられ、前記枝線保護部は、前記外側保持部と一体に構成され、前記方向調整部は、前記係止部で構成されてもよい。
【００１２】
この発明によると、前記幹線を保持する内側保持部に対して、前記枝線保護部と一体に構成された前記外側保持部を周方向に沿って移動させることができるとともに、所望の方向に前記枝線保護部を係止させることができる。したがって、前記枝線保護部で保護する前記枝線を所望の配設方向へ確実に調整できる。
【００１３】
また、前記外側保持部の周方向の移動に合わせて前記内側保持部が周方向に移動することがないため、前記幹線が前記外側保持部の周方向への移動により捩れることない。したがって、前記枝線の配設方向を調整することにより、前記幹線に負荷がかかることを防止できる。
【００１４】
またこの発明の態様として、前記内側保持部が、前記枝線の分岐部分から前記長手方向両側に沿って配置されてもよい。  
この発明により、前記内側保持部は前記枝線の分岐部分を挟んで前記幹線を長手方向に沿って保持するため、前記内側保持部はより安定して前記幹線を保持でき、前記枝線保護部と一体に構成された前記外側保持部を確実に前記幹線に対して固定できる。したがって、確実に前記枝線保護部を所望の方向に調整して、前記枝線を確実に所望の方向に配索できる。
【００１５】
また、前記内側保持部は前記幹線を安定して保持できるため、前記外側保持部の周方向への移動により前記内側保持部が前記幹線に対して周方向に移動することをより確実に防止できる。これにより、前記内側保持部に保持されている前記幹線が捩れることをより確実に防止できる。
【００１６】
またこの発明の態様として、前記係止部は、前記外側保持部の内周面又は前記内側保持部の外周面の一方において、該一方から他方に向けて突出する凸部と、前記外側保持部の内周面又は前記内側保持部の外周面の他方において、前記凸部と係止可能に窪んだ凹部とで構成されてもよい。
【００１７】
この発明により、前記凸部と前記凹部とで前記外側保持部と前記内側保持部とを確実に係止できるため、前記外側保持部と一体に構成された前記枝線保護部を所望の方向となるようにより確実に係止できる。
【００１８】
またこの発明の態様として、前記内側保持部に対する前記外側保持部の前記長手方向への移動を調整する移動調整部が備えられてもよい。  
この発明により、前記枝線保護部を前記長手方向に沿って位置調整できるため、前記幹線を所定の位置に固定した状態で前記枝線の配設位置を前記長手方向に調整できる。
【００１９】
またこの発明の態様として、前記内側保持部における前記長手方向の長さを、対応する前記外側保持部の長さよりも長く構成してもよい。  
この発明により、前記外側保持部の係止状態をより安定させることができる。
【００２０】
詳述すると、前記内側保持部における前記長手方向の長さが対応する前記外側保持部の長さよりも短い場合に比べて、前記幹線を保持する前記内側保持部と前記外側保持部との接触面積が増加するため、前記内側保持部に対する前記外側保持部の係止状態を安定させることができる。これにより、前記枝線保護部に不意の力が作用した場合に、前記外側保持部が周方向に移動することを防止できる。
【００２１】
また、例えば、前記外側保持部の内周面に設けられた凸部が、前記内側保持部の外周面において長手方向に並んで設けられた複数の凹部の一つと嵌合して係止されている場合において、前記外側保持部を前記長手方向に沿って移動させたとしても、前記凸部は嵌合している前記凹部の長手方向に並んで設けられた他の凹部に嵌合して係止させることができる。このように、前記外側保持部を前記長手方向に沿って移動させた場合であっても、前記係止部で前記外側保持部を前記内側保持部に係止でき、確実に前記枝線保護部を所望の配設方向に調整して固定できる。
【００２２】
またこの発明の態様として、前記外側保持部は、断面周状に構成されるとともに、開閉可能な開閉部を備えてもよい。  
前記断面周状とは、前記幹線の周方向全周を覆うように構成された筒状体をさす。なお、前記筒状体の断面形状は、断面が円形状や楕円状、矩形状などどのような形状であっても構わない。
【００２３】
この発明により、開放状態で前記幹線及び前記枝線を前記枝線保護部及び前記幹線保護部に容易かつ確実に収納できる。また、前記幹線及び前記枝線を収納した状態で前記プロテクタを閉じることで、前記ワイヤーハーネスを前記プロテクタで囲繞して前記ワイヤーハーネスを保護できるとともに、前記枝線の分岐部位を確実に保護しながら前記枝線を所望の方向に配設できるとともに、前記枝線を支持できる。
【００２４】
またこの発明の態様として、前記枝線保護部は、先端側から基端側に向けて拡径となる拡径形状で構成してもよい。  
この発明により、前記枝線の余長部分を収納できるとともに、前記枝線保護部の方向を所定の方向に調整した場合に、前記枝線の分岐部分が前記枝線保護部と干渉することを防ぐことができるため、前記枝線の分岐部分にかかる負荷を軽減できる。
【００２５】
またこの発明の態様として、前記枝線保護部の先端部位が可撓性を有してもよい。  
この発明により、前記枝線保護部の先端から延出される前記枝線をより所望の方向に向けることができる。
【００２６】
詳述すると、前記枝線保護部が配設された方向と、前記枝線と接続する電子機器類などの位置にズレがある場合、前記枝線は湾曲して配索されることとなるが、前記枝線保護部の先端部位が可撓性を有するため、前記枝線保護部の先端側が前記枝線の湾曲に沿って曲がり、前記枝線をより所望の方向に向けることができるとともに、前記枝線の長さを短くすることができる。
【００２７】
さらにまた、前記枝線の湾曲に沿って前記枝線保護部の先端部位も湾曲するため、前記枝線保護部の先端部位が可撓性を有さない場合と比べ、前記枝線が前記先端開口と干渉することにより前記枝線に作用する負荷を軽減できる。
【００２８】
またこの発明の態様として、前記幹線保護部を前記幹線に固定する固定部が備えられてもよい。  
この発明により、前記幹線保護部を前記幹線に対して確実に固定できる。
【発明の効果】
【００２９】
この発明により、幹線から分岐する枝線が所望の方向となるように調節することができるプロテクタ及びプロテクタ付ワイヤーハーネスを提供することができる。
【図面の簡単な説明】
【００３０】
【図１】プロテクタ付ワイヤーハーネスの概略斜視図。
【図２】外側保持部が開放した状態のプロテクタ付ワイヤーハーネスの概略斜視図。
【図３】外側保持部が開放した状態のプロテクタ付ワイヤーハーネスの概略分解斜視図。
【図４】内側保持部の説明図。
【図５】外側保持部の説明図。
【図６】内側保持部を組み付けたワイヤーハーネスの説明図。
【図７】プロテクタ付ワイヤーハーネスの説明図。
【図８】プロテクタ付ワイヤーハーネスの説明図。
【図９】枝線保護部の角度調整の説明図。
【図１０】湾曲した枝線を保護するプロテクタ付ワイヤーハーネスの側面図。
【図１１】プロテクタ付ワイヤーハーネスの他の実施形態の説明図。
【図１２】プロテクタ付ワイヤーハーネスの他の実施形態の説明図。
【発明を実施するための形態】
【００３１】
この発明の一実施形態を以下図面と共に説明する。  
図１はプロテクタ付ワイヤーハーネス１の概略斜視図を示し、図２は外側保持部が開放した状態のプロテクタ付ワイヤーハーネス１の概略斜視図を示し、図３は外側保持部が開放した状態のプロテクタ付ワイヤーハーネス１の概略分解斜視図を示し、図４は内側保持部２０の説明図を示し、図５は外側保持部の説明図を示す。
【００３２】
図４及び図５について詳述すると、図４（ａ）は内側保持部２０を−Ｙ方向から視た正面図を示し、図４（ｂ）は＋Ｘ方向から視た内側保持部２０を＋Ｘ方向から視た側面図を示し、図５（ａ）はハーネス保護部３０の正面図を示し、図５（ｂ）はハーネス保護部３０の側面図を示し、図５（ｃ）はハーネス保護部３０の長手方向Ｘの中央部分における断面を長手方向Ｘから視た断面図を示す。
【００３３】
図６は内側保持部２０を組み付けたワイヤーハーネス１００の説明図を示し、図７はプロテクタ付ワイヤーハーネス１の説明図を示し、図８はプロテクタ付ワイヤーハーネス１の説明図示し、図９は枝線保護部３２の角度調整の説明図を示し、図１０は湾曲した枝線１２０を保護する枝線保護部３２の側面図を示す。
【００３４】
図６乃至図９について詳述すると、図６（ａ）は内側保持部２０を組み付けたワイヤーハーネス１００の概略斜視図を示し、図６（ｂ）は内側保持部２０を組み付けたワイヤーハーネス１００の正面図を示し、図７（ａ）は内側保持部２０を組み付けたワイヤーハーネス１００とハーネス保護部３０とを組み付ける動作を説明するプロテクタ付ワイヤーハーネス１の側面図を示し、図７（ｂ）はプロテクタ付ワイヤーハーネス１の正面図を示す。
【００３５】
図８（ａ）は図７（ｂ）におけるＡ−Ａ断面図を示し、図８（ｂ）は図７（ｂ）におけるＢ−Ｂ断面図を示し、図８（ｃ）は図８（ｂ）におけるα部の拡大図を示す。図９（ａ）は図７（ｂ）におけるＢ−Ｂ断面図において、枝線保護部３２を上方へ回転させた状態を示す断面図を示し、図９（ｂ）は枝線保護部３２が幅方向Ｙに沿った状態での図９（ａ）におけるβ部の拡大図を示し、図９（ｃ）は枝線保護部３２を上方へ回転させた状態での図９（ａ）におけるβ部の拡大図を示し、図９（ｄ）は枝線保護部３２をさらに上方へ回転させた状態での図９（ａ）におけるβ部の拡大図を示す。
【００３６】
また、図中において、幹線１１０の長手方向を長手方向Ｘとし、枝線１２０の長手方向を幅方向Ｙとする。なお、図１中の長手方向Ｘに沿って左方向を＋Ｘ方向、右方向を−Ｘ方向とし、図１中の幅方向Ｙに沿って左方向を＋Ｙ方向、右方向を−Ｙ方向とする。また、図１中の上方を上方向とし、下方を下方向とする。
【００３７】
プロテクタ付ワイヤーハーネス１は、図１に示すように、幹線１１０と、幹線１１０から分岐した枝線１２０とで構成されたワイヤーハーネス１００に、枝線１２０の分岐部分を囲繞するプロテクタ１０が組み付けられて構成されている
【００３８】
ワイヤーハーネス１００を構成する幹線１１０は、導線を絶縁被覆で被覆した被覆電線（図示省略）の束であり、例えばバッテリなどと接続されている。  
枝線１２０は、被覆電線の束である幹線１１０から−Ｙ方向に引き出した被覆電線であり、例えば、車両に搭載される電子機器類と接続されている。
【００３９】
ワイヤーハーネス１００に組み付けられたプロテクタ１０は、図２及び図３に示すように、長手方向Ｘに沿った幹線１１０を保持する内側保持部２０と、内側保持部２０の外周面を覆う開閉自在なハーネス保護部３０とで構成されている。なお、内側保持部２０の両端部分には幹線１１０と内側保持部２０とを固定するように固定テープ４０が巻き付けられている。
【００４０】
内側保持部２０は、図３及び図４に示すように、所定の間隔を隔てて配置された２つの保持部本体２１と、保持部本体２１同士を連結する連結部２２と、保持部本体２１の長手方向Ｘの端部から延出する固定部２４とで一体構成されており、保持部本体２１の外周面には複数の嵌合凹部２３が設けられている。なお、内側保持部２０は弾性を有する樹脂で形成されているが、必ずしも弾性を有する樹脂で形成されている必要はない
【００４１】
保持部本体２１は、図３及び図４（ａ）、図４（ｂ）に示すように、高さ方向が長手方向Ｘに沿った略円筒体であり、上方に幹線１１０の外径よりも短い間隔の開口が長手方向Ｘに沿って形成されている。また、保持部本体２１の内径が幹線１１０の外径よりも少し小さく構成されている。
【００４２】
このように構成された保持部本体２１は、長手方向Ｘに沿って所定の間隔を隔てて対向するように配置されている。なお、正面視左側に配置された保持部本体２１を保持部本体２１ｌ、正面視左側に配置された保持部本体２１を保持部本体２１ｒとする。
【００４３】
連結部２２は、所定の間隔を隔てた保持部本体２１（２１ｒ，２１ｌ）の下方を連結する円弧状の板状体であり、保持部本体２１と同じ板厚を有し、外周面が保持部本体２１の外周面と面一となるように形成されている。また、長手方向Ｘに沿った長さが枝線１２０の内径に比べて十分な大きさを有するように構成されている。
【００４４】
換言すると、保持部本体２１ｒと保持部本体２１ｌとの間には、枝線１２０の内径に比べて十分な大きさを有する挿通空間Ｓが形成され、内側保持部２０をワイヤーハーネス１００に組つけた際に、幹線１１０から分岐する枝線１２０を挿通空間Ｓから外側に突出するように配置できる。
【００４５】
なお連結部２２は、保持部本体２１の下面側を連結しているが、必ずしもこの構成である必要はなく、例えば保持部本体２１の側面を連結してもよく、またその個数も一つに限らず、複数の連結部２２で連結してもよいが、保持部本体２１ｒと保持部本体２１ｌとの間には十分な大きさの挿通空間Ｓを設けることが好ましく、また連結部２２に対応する内側保持部２０の周方向においても十分開放された空間を有することが好ましい。
【００４６】
嵌合凹部２３は、図３及び図４（ａ）に示すように、保持部本体２１（保持部本体２１ｒ及び保持部本体２１ｌのそれぞれに）の外周面に形成された、保持部本体２１の厚さの約３分の１程度の深さを有する窪みであり、周方向に１５個ずつ長手方向Ｘに沿って５列、計４５個が等間隔で配置されている。
【００４７】
固定部２４は、図３及び図４（ａ）に示すように、保持部本体２１の下方側において長手方向Ｘに沿って外側に延出する円弧状の板状体であり、外周面が保持部本体２１の外周面と面一となるように形成されている。なお、固定部２４の外側端部は下方に向けてわずかに突出している。  
このように、内側保持部２０は保持部本体２１及び固定部２４が、連結部２２の中心面に対して面対称となるように形成されている。
【００４８】
内側保持部２０の外周面を覆うように組み付けられるハーネス保護部３０は、筒状体である幹線保護部本体３１と、幹線保護部本体３１の中央部分から幅方向Ｙ（―Ｙ方向）に向けて突出する枝線保護部３２とで構成され、幹線保護部本体３１の内周面には嵌合凸部３３が形成されている。
【００４９】
幹線保護部本体３１は、保持部本体２１の外径と同じ長さの内径を有するとともに、内側保持部２０の長手方向Ｘの長さよりも一回り短い円筒体であり、上下方向に２分割した幹線保護部本体３１ｕと幹線保護部本体３１ｄとで構成でされている。上半分を構成する幹線保護部本体３１ｕと下半分を構成する幹線保護部本体３１ｄとは、＋Ｙ方向に設けられたヒンジ３４を介して連結され、ヒンジ３４を回転軸として相互に開閉自在となっている。
【００５０】
幹線保護部本体３１の中央部分から−Ｙ方向に向けて突出する枝線保護部３２は、幹線保護部本体３１との連結部分である基端側に向けて拡径となる略円筒体であり、幹線保護部本体３１と同様に、上下方向に２分割した枝線保護部３２ｕと枝線保護部３２ｄとで構成されている。なお、枝線保護部３２ｕは幹線保護部本体３１ｕと、枝線保護部３２ｄは幹線保護部本体３１ｄとそれぞれ一体に構成されている。
【００５１】
また、円筒状の枝線保護部３２は、幹線保護部本体３１との連結部位である基端部３２１と、基端部３２１から＋Ｙ方向に延出する枝線保護部本体３２２と、枝線保護部本体３２２の先端側に延出する先端部位３２３と＋Ｙ方向から−Ｙ方向に向けてこの順で並んで配置されている。
【００５２】
この先端部位３２３は、枝線保護部３２の半分よりも−Ｙ方向側をさし、他の部位に比べて可撓性を有する部材で構成されている。なお、先端部位３２３は、枝線保護部３２の半分程度の長さとしているが、この長さは適宜調整できる。
【００５３】
また、枝線保護部３２の内部には、枝線１２０が挿通可能な挿通孔が幅方向Ｙに沿って設けられ、枝線保護部３２の先端の正面視中央には枝線１２０の外径と同一の内径の開口部３２４が設けられている。  
この挿通孔の外径、すなわち枝線保護部３２の内径は、基端側に向かうにつれて拡径している。詳述すると、枝線保護部本体３２２及び先端部位３２３の内径は、枝線１２０の外径と同一に構成されているが、基端部３２１の内径は、基端側に向かうにつれて拡径している。（図５（ｃ）参照）。
【００５４】
嵌合凸部３３は、幹線保護部本体３１の内周面から内径側に向けて、嵌合凹部２３の深さと略同一の長さだけ突出する凸部で、各辺部が角取りされている。このように構成である嵌合凸部３３は、内周面に沿って１８個ずつ等間隔で設けられている。
【００５５】
また、幹線保護部本体３１の外側両端部から長手方向Ｘの中央側に向けて４列、嵌合凹部２３の列と同間隔で並んでいる。すなわち、嵌合凸部３３は幹線保護部本体３１の両外側の内周面に１列１８個ずつ、４列の７２個、計１４４個が等間隔で配列されており、また幹線保護部本体３１の長手方向Ｘにおける中央部分の内周面には、嵌合凸部３３が設けられていない。
【００５６】
このように構成された内側保持部２０及びハーネス保護部３０で構成されたプロテクタ１０をワイヤーハーネス１００に組み付けることで、幹線１１０に対して枝線１２０を所望の方向に配設させることができる。
【００５７】
以下、内側保持部２０及びハーネス保護部３０をワイヤーハーネス１００に組み付ける方法について簡単に説明する。  
はじめに、内側保持部２０をワイヤーハーネス１００に組み付けた状態について、図６に基づいて説明する。
【００５８】
所定の間隔を隔てた保持部本体２１の間に枝線１２０が配置されるように、保持部本体２１をワイヤーハーネス１００の下方に配置し、保持部本体２１の上方に設けた開口部分から幹線１１０を組み付ける。この際、保持部本体２１が弾性を有しているため、保持部本体２１の開口部分が外側に広がり幹線１１０を保持部本体２１の内側に挿入することができる。
【００５９】
また、保持部本体２１の内径は幹線１１０の外径よりも小さいため、保持部本体２１の内側に挿入された幹線１１０は保持部本体２１により確実に保持されることとなる。  
なお、固定部２４と幹線１１０とを固定テープ４０で巻きつけて固定することで、内側保持部２０が幹線１１０をより強固に保持させている。
【００６０】
このようにワイヤーハーネス１００を内側保持部２０に組み付けた状態では、枝線１２０が保持部本体２１同士の間に設けられた挿通空間Ｓから−Ｙ方向に挿通されている。ここで、挿通空間Ｓは枝線１２０の内径に比べて十分な大きさを有する空間を有するため、保持部本体２１と枝線１２０との間には十分な距離がある。また、保持部本体２１同士を連結する連結部２２は下方側に設けられているため、枝線１２０の上方向には十分の空間を有することとなる（図６（ｂ）参照）。
【００６１】
次に、内側保持部２０を組み付けたワイヤーハーネス１００に対してハーネス保護部３０を組み付ける方法について説明する。  
図７（ａ）に示すように、内側保持部２０を組み付けたワイヤーハーネス１００を、枝線１２０が枝線保護部３２の上方となるように、開放状態のハーネス保護部３０の上方に配置し、内側保持部２０を組み付けたワイヤーハーネス１００を下方に下してハーネス保護部３０に組み付けることができる。
【００６２】
この状態で、保持部本体２１の外周面の長手方向Ｘ中央側に設けた嵌合凹部２３と、幹線保護部本体３１の内周面の長手方向Ｘ中央側に設けた嵌合凸部３３とを嵌合させることにより、内側保持部２０とハーネス保護部３０とを固定することができる。
【００６３】
そして、ヒンジ３４を回転軸として幹線保護部本体３１ｕを−Ｙ側に向けて回転させることでハーネス保護部３０を閉じた状態とすることができる。この状態において枝線１２０は枝線保護部３２に保持されることとなる。なお、図７（ｂ）に示すように、保持部本体２１の長手方向Ｘ両端側がハーネス保護部３０の長手方向Ｘ両端からそれぞれはみ出た状態となっている。
【００６４】
また、ワイヤーハーネス１００を組み付けたプロテクタ１０の長手方向Ｘ中央部分の断面図である図８（ａ）に示すように、＋Ｙ方向に突出する枝線１２０の基端側と枝線保護部３２（基端部３２１）とは当接しておらず、隙間が設けられている。  
さらに、図８（ｂ）に示すように、嵌合凹部２３と嵌合凸部３３とは互いに嵌合することで内側保持部２０とハーネス保護部３０とを係止している。
【００６５】
このように、ワイヤーハーネス１００を保持する内側保持部２０に対して、嵌合凹部２３に嵌合凸部３３が嵌合することにより係止されているハーネス保護部３０の枝線保護部３２を、幹線１１０の中心軸を回転軸として回転させることにより、幹線１１０に対する枝線保護部３２の配設方向を変更させることができる。
【００６６】
具体的には、図９（ａ）に示すように、−Ｙ方向に沿って配設されている枝線保護部３２を、幹線１１０の中心軸を回転軸として反時計回りに２０度回転させる場合について説明する。
【００６７】
枝線保護部３２が−Ｙ方向に沿って配設されている場合、図９（ｂ）に示すように、嵌合凸部３３は嵌合凹部２３に対して嵌合することで、枝線保護部３２を−Ｙ方向となるようにハーネス保護部３０を内側保持部２０に対して係止している。
【００６８】
この状態で、枝線保護部３２を幹線１１０の中心軸を回転軸として反時計回りに回転させると、図９（ｃ）に示すように、角部を面取りしている嵌合凸部３３が、隣接する嵌合凹部２３同士を区切る凸部に乗り上げることとなる。この際、嵌合凹部２３が弾性を有する樹脂で構成されているとともに、嵌合凸部３３の辺が角取りされているため、嵌合凸部３３はより容易に嵌合凹部２３を区切る土手の上に乗り上げられることとなる。
【００６９】
さらに枝線保護部３２を幹線１１０の中心軸を回転軸として上方に回転させると、図９（ｄ）に示すように、嵌合凹部２３を区切る凸部の上に乗り上げられた嵌合凸部３３が隣接する嵌合凹部２３と嵌合し、ハーネス保護部３０が内側保持部２０に対して係止されることとなる。
【００７０】
より具体的には、図９（ａ）及び図９（ｂ）に示すように、嵌合凹部２３ｂに嵌合している嵌合凸部３３ｂが、嵌合凹部２３ａと嵌合凹部２３ｂとの間に形成される土手に乗り上げられる。
【００７１】
さらに枝線保護部３２を幹線１１０の中心軸を回転軸として上方に回転させると、図９（ｄ）に示すように、嵌合凸部３３ｂが反時計回りに移動して嵌合凹部２３ａと嵌合する。これにより、ハーネス保護部３０が内側保持部２０に対して係止されることとなる。
【００７２】
このように、幹線１１０の中心軸を回転軸として枝線保護部３２を回転させることにより、枝線保護部３２を所望の方向に調整することができる。これにより、枝線保護部３２により保持されている枝線１２０は、対応する電子機器などの位置に合わせて所望の方向に配索することができる。
【００７３】
同様に、内側保持部２０に対してハーネス保護部３０を長手方向Ｘに沿って移動させた場合も、初期状態において嵌合凸部３３が嵌合する嵌合凹部２３と隣接する嵌合凹部２３に嵌合させることができるため、枝線保護部３２の位置を長手方向Ｘに沿って移動させることができる。
【００７４】
また、長手方向Ｘに沿った内側保持部２０の長さ（保持部本体２１の長手方向Ｘ外側端部同士の距離）が幹線保護部本体３１の長さよりも長く構成されるとともに、保持部本体２１に設けられた嵌合凹部２３の列数が嵌合凸部３３の列数よりも多く構成されているため、ハーネス保護部３０を長手方向Ｘに沿って移動させたとしても、一定数の嵌合凸部３３を嵌合凹部２３に対して嵌合させて、内側保持部２０に対してハーネス保護部３０を固定できる。これにより、枝線１２０の配設位置を長手方向Ｘに沿って調整させることができる。
【００７５】
また、保持部本体２１同士の間に設けられた挿通空間Ｓが枝線１２０の内径に比べて十分な大きさを有するため、枝線保護部３２の配設方向を調整する前には枝線１２０の余長部分を十分に収納できるとともに、枝線保護部３２の配設方向を調整した際にも枝線１２０の余長部分を引き出すことができる。
【００７６】
さらにまた、基端部３２１の内径は基端側に向かうにつれて拡径していることから、枝線１２０との間に隙間がある。このように隙間を設けることにより、枝線保護部３２の配索方向を変更した場合であっても、枝線１２０が基端部３２１の内径と干渉して損傷することを防止できる。
【００７７】
また、枝線保護部３２の配索方向を調整することにより、枝線１２０の先端が接続される電子機器側に向けて湾曲することがあるが、枝線保護部３２の先端部分である先端部位３２３は他の部位に比べて可撓性を有する部材で構成されているため、枝線１２０の湾曲に合わせて湾曲する（図１０参照）。
【００７８】
このため、開口部３２４と当接する枝線１２０の当接部位にかかる負荷を軽減することができ、枝線１２０における開口部３２４との当接部位が損傷することを防止できる。
【００７９】
このように、複数の電線を束ねた幹線１１０と、幹線１１０から分岐された枝線１２０とで構成されたワイヤーハーネス１００を保護するプロテクタ１０は、幹線１１０を保護する内側保持部２０及び幹線保護部本体３１と、枝線１２０を保護するとともに、幹線保護部本体３１の長手方向Ｘと交差する幅方向Ｙへ向けて突出する枝線保護部３２とで構成され、枝線保護部３２を所定の配設方向に調整する嵌合凹部２３及び嵌合凸部３３が備えられたことにより、枝線保護部３２で保護する枝線１２０の配設方向を所望の方向に調整できる。
【００８０】
したがって、幹線１１０と、幹線１１０から複雑に分岐する枝線１２０とで構成されたワイヤーハーネス１００の配索状況に対応してワイヤーハーネス１００を保護することができる。
【００８１】
また、プロテクタ１０は、幹線１１０を保持する内側保持部２０と、内側保持部２０の外周面を保持するハーネス保護部３０とで構成され、内側保持部２０とハーネス保護部３０とを周方向に相対移動可能にかつ、所望の方向に係止可能な嵌合凹部２３及び嵌合凸部３３が備えられ、枝線保護部３２は、ハーネス保護部３０と一体に構成されることにより、枝線保護部３２で保護する枝線１２０を所望の配設方向へ確実に調整できる。
【００８２】
また、ハーネス保護部３０の周方向の移動に合わせて内側保持部２０が幹線１１０に対して移動することがないため、幹線１１０がハーネス保護部３０の周方向への移動により捩れることない。したがって、枝線１２０の配設方向を調整することにより、幹線１１０に負荷がかかることを防止できる。
【００８３】
さらにまた、内側保持部２０が枝線１２０の分岐部分から長手方向Ｘの両側に沿って配置されることにより、すなわち、内側保持部２０が枝線１２０の分岐部分をはさんで長手方向Ｘの両側にそって配置されていることにより、内側保持部２０はより安定して幹線１１０を保持でき、枝線保護部３２と一体に構成されたハーネス保護部３０を確実に幹線１１０に対して固定できる。したがって、確実に枝線保護部３２を所望の方向に調整して、枝線１２０を確実に所望の方向に配索できる。
【００８４】
また、内側保持部２０は幹線１１０を安定して保持できるため、ハーネス保護部３０の周方向への移動により内側保持部２０が幹線１１０に対して周方向に移動することをより確実に防止できる。これにより、内側保持部２０に保持されている幹線１１０が捩れることをより確実に防止できる。
【００８５】
さらにまた、嵌合凸部３３は、ハーネス保護部３０の内周面において内側保持部２０に向けて突出し、嵌合凹部２３は、内側保持部２０の外周面において嵌合凸部３３と係止可能に窪んで構成されていることにより、嵌合凹部２３と嵌合凸部３３とでハーネス保護部３０と内側保持部２０とを確実に係止でき、ハーネス保護部３０と一体に構成された枝線保護部３２を所望の方向で、より確実に係止できる。
【００８６】
また、内側保持部２０に対するハーネス保護部３０の長手方向Ｘへの移動を調整する嵌合凹部２３及び嵌合凸部３３が備えられたことにより、枝線保護部３２を長手方向Ｘに沿って位置調整でき、幹線１１０を所定の位置に固定した状態で枝線１２０の配設方向を長手方向Ｘに沿って調整できる。
【００８７】
また、内側保持部２０における長手方向Ｘに沿った長さが、対応するハーネス保護部３０の長さよりも長くすることにより、ハーネス保護部３０の係止状態をより安定させることができる。
【００８８】
詳述すると、内側保持部２０における長手方向Ｘの長さが対応するハーネス保護部３０の長さよりも短い場合に比べて、幹線１１０を保持する内側保持部２０とハーネス保護部３０との接触面積が増加するため、内側保持部２０に対するハーネス保護部３０の係止状態を安定させることができる。これにより、枝線保護部３２に不意の力が作用した場合に、ハーネス保護部３０が周方向に移動することを防止できる。
【００８９】
また、ハーネス保護部３０の内周面に形成された嵌合凸部３３が、内側保持部２０の外周面に形成された複数の嵌合凹部２３に嵌合して係止されている場合において、ハーネス保護部３０を長手方向Ｘに沿って移動させたとしても、嵌合凸部３３は嵌合凹部２３の長手方向Ｘに隣接する他の嵌合凹部２３に係止させることができる。このように、ハーネス保護部３０を長手方向Ｘに沿って移動させた場合であっても、嵌合凹部２３及び嵌合凸部３３の嵌合によりハーネス保護部３０を内側保持部２０に係止できるため、枝線保護部３２を所望の配設方向に調整して固定できる。
【００９０】
また、ハーネス保護部３０は、断面周状に構成されるとともに、開閉可能なヒンジ３４を備えることにより、ハーネス保護部３０ｕをハーネス保護部３０ｄに対して開放させた開放状態で幹線１１０及び枝線１２０を枝線保護部３２及び内側保持部２０及び幹線保護部本体３１に容易かつ確実に収納できる。また、幹線１１０及び枝線１２０を収納した状態でプロテクタ１０を閉じることで、ワイヤーハーネス１００をプロテクタ１０で囲繞してワイヤーハーネス１００を保護できるとともに、枝線１２０の分岐部位を確実に保護しながら枝線１２０を所望の方向に配設するとともに、所望の方向に支持できる。
【００９１】
また、枝線保護部３２は、先端側から基端側に向けて拡径となる拡径形状で構成することにより、枝線１２０の余長部分を収納できるとともに、枝線保護部３２の方向を所定の方向に調整した場合においても、枝線１２０の分岐部分が枝線保護部３２と干渉することを防ぐことができるため、枝線１２０の分岐部分にかかる負荷を軽減できる。
【００９２】
さらにまた、枝線保護部３２の先端部位である先端部位３２３が可撓性を有することにより、枝線保護部３２の先端から延出される枝線１２０をより所望の方向に向けることができる。
【００９３】
詳述すると、枝線保護部３２が配設された方向と、枝線１２０と接続する電子機器類などの位置にズレがある場合、枝線１２０は湾曲して配索されることとなるが、枝線保護部３２の先端部位が可撓性を有するため、枝線保護部３２の先端側が枝線１２０の湾曲に沿って曲がることができ、枝線１２０をより所望の方向に向けることができるとともに、枝線１２０の長さを短くすることができる。
【００９４】
さらにまた、枝線１２０の湾曲に沿って枝線保護部３２の先端部位も湾曲するため、枝線保護部３２の先端部位が可撓性を有さない場合と比べ、枝線１２０が先端開口と干渉することにより枝線１２０に作用する負荷を軽減できる。
【００９５】
また、内側保持部２０を幹線１１０に固定する固定部２４が備えることにより、内側保持部２０を幹線１１０に対して確実に固定できる。これにより、ハーネス保護部３０を内側保持部２０に対して周方向に回転させた場合でも、内側保持部２０がハーネス保護部３０に引っ張られて回転することを防止できる。
【００９６】
この発明の構成と、上述の実施形態との対応において、
幹線保護部は、内側保持部２０及び幹線保護部本体３１に対応し、
方向調整部及び係止部、移動調整部は、嵌合凹部２３及び嵌合凸部３３に対応し、
凸部は、嵌合凸部３３に対応し、
凹部は、嵌合凹部２３に対応し、
開閉部は、ヒンジ３４に対応するが、
この発明は、上述の実施形態の構成のみに限定されるものではなく、多くの実施の形態を得ることができる。
【００９７】
例えば、幹線保護部本体３１の内周面に設けられた嵌合凸部３３と、保持部本体２１の外周面に設けられた嵌合凹部２３の個数は本実施形態の個数とする必要はなく、その大きさや個数は適宜調整することができる。
【００９８】
また、嵌合凹部２３及び嵌合凸部３３はそれぞれが対応して嵌合できればよく、必ずしも凹感覚で配置されている必要はなく、また嵌合凹部２３に嵌合している嵌合凸部３３の数を少なくしても構わない。
【００９９】
さらにまた、本実施形態では、嵌合凹部２３及び嵌合凸部３３の嵌合により、内側保持部２０とハーネス保護部３０とを固定しているが、必ずしもこのような構成とする必要はなく、例えば互いに係止する鉤爪形状などとしてもよい。
【０１００】
また、本実施形態において、ハーネス保護部３０は幹線１１０の周方向全周を覆うように構成された断面円形状の筒状体としているが、断面形状は円形状である必要はなく、例えば楕円状、矩形状などどのような形状であっても構わない。
【０１０１】
また、幹線保護部本体３１は内側保持部２０の外周面を周方向に沿って囲繞する円筒体で構成されているが、必ずしも内側保持部２０を囲繞する必要はなく、例えば図１１に示すように、幹線保護部本体３１ｄのみで構成されていてもよい。この場合、幹線保護部本体３１ｄを内側保持部２０及び幹線１１０に対して確実に固定するために、幹線保護部本体３１ｄと内側保持部２０を固定テープ４０などで固定してもよい。  
このように、幹線保護部本体３１は内側保持部２０の一部分を覆う構成としてもよい。
【０１０２】
さらにまた、プロテクタ１０は、内側保持部２０を有さず、ハーネス保護部３０のみで構成されていてもよい。  
具体的には、嵌合凸部３３が幹線１１０に対して係止可能な側面視三角形状に形成され、枝線保護部３２を幹線１１０の中心軸を回転軸として回転させた場合に、嵌合凸部３３が幹線１１０に食い込んで係止される構成とすることができる。
【０１０３】
さらには、内側保持部２０の代わりに両面に係止片が設けられた結束バンドを用いることもできる。両面に係止片が設けられた結束バンドをきつく閉めることにより、一面側は幹線１１０に食い込んで幹線１１０を保持することができる。そして、ハーネス保護部３０の内周面に設けられた嵌合凸部３３を結束バンドに設けられた他面側の係止片と係合可能に構成することができる。これにより、内側保持部２０に対してハーネス保護部３０を固定することができるとともに、ハーネス保護部３０を内側保持部２０に対して周方向の一方向に移動させることができる。
【０１０４】
また、保持部本体２１の内径を幹線１１０の外径よりも短く構成されているが、必ずしもこのような構成である必要はなく、例えば、保持部本体２１の内径が幹線１１０の外径よりも大きくても構わない。この場合、内側保持部２０と幹線１１０とを確実に固定するために、固定テープ４０などを固定部２４に巻きつけることで確実に固定することが好ましい。
【０１０５】
さらにまた、上述の枝線保護部３２を所定の配設方向に調整する構成は、嵌合凹部２３及び嵌合凸部３３のように、内側保持部２０に対して枝線保護部３２の配設方向を、幹線の中心軸を回転軸として枝線保護部３２を回転させる構成とする他、図１２に示すように、プロテクタ１０を車両２００などに固定するためのアンカー６０を固定するアンカー固定部５０を、ハーネス保護部３０の外周面に等間隔で複数個（図１２では９個）設け、枝線保護部３２が所望の角度となるように、プロテクタ１０を配置させてアンカーを取付けることで、枝線保護部３２の配設方向を調整する構成とすることができる（図１２（ｂ）参照）。
【符号の説明】
【０１０６】
１            プロテクタ付ワイヤーハーネス
１０          プロテクタ
２０          内側保持部
２３          凹部
２４          固定部
３０          外側保持部
３２          枝線保護部
３３          嵌合凸部
３４          ヒンジ
１１０        幹線
１２０        枝線
１００        ワイヤーハーネス
Ｓ            挿通空間
Ｘ            長手方向
Ｙ            幅方向
【図１】
2019030066.tif 000003
【図２】
2019030066.tif 000004
【図３】
2019030066.tif 000005
【図４】
2019030066.tif 000006
【図５】
2019030066.tif 000007
【図６】
2019030066.tif 000008
【図７】
2019030066.tif 000009
【図８】
2019030066.tif 000010
【図９】
2019030066.tif 000011
【図１０】
2019030066.tif 000012
【図１１】
2019030066.tif 000013
【図１２】
2019030066.tif 000014